(57)【要約】【課題】コンパクトに構成すると共に、原稿にダメージや異常画像が生じることを防止した画像形成装置を提供する。【解決手段】原稿又はトナー像が転写されるシートを積載する積載手段と、該積載手段の搬送方向下流に配置される読み取り手段と、該読み取り手段、転写手段４１及び定着手段５０を通過するように形成されて、原稿又はシートが搬送される搬送路２０と、を備える。転写回転体及び定着回転体対の一方の、少なくともいずれか一方は移動可能な可動回転体から構成される。共通搬送路２０に原稿が搬送される場合には、前記可動回転体を、該可動回転体が形成するニップ４６，５６から離間するように制御する。【選択図】図７
2015212718.tif 000002
【特許請求の範囲】
【請求項１】
原稿又はトナー像が転写されるシートを積載する積載手段と、
前記積載手段の搬送方向下流に配置され、原稿の画像を読み取る読み取り手段と、
像担持体にトナー像を形成する画像形成手段と、
転写回転体を有し、転写ニップによって前記像担持体のトナー像をシートに転写する転写手段と、
定着回転体対で形成される定着ニップによってトナー像をシートに加熱定着する定着手段と、
搬送される原稿又はトナー像が転写されるシートが、前記読み取り手段、前記転写手段及び前記定着手段を通過するように形成された搬送路と、
前記転写回転体及び前記定着回転体対の一方の、少なくともいずれか一方は移動可能な可動回転体であり、前記可動回転体を前記転写ニップ又は前記定着ニップと、前記転写ニップ又は前記定着ニップから離れた位置と、に移動させる可動回転体移動手段と、
前記搬送路に原稿が搬送されると判定した場合に、前記可動回転体を前記転写ニップ又は前記定着ニップから離間するように前記可動回転体移動手段を制御する制御手段と、を備えた、
ことを特徴とする画像形成装置。
【請求項２】
前記可動回転体は、前記定着回転体対の一方の回転体である、
請求項１記載の画像形成装置。
【請求項３】
前記可動回転体は、前記転写回転体である、
請求項１記載の画像形成装置。
【請求項４】
前記可動回転体は、前記定着回転体対の一方の回転体及び前記転写回転体である、
請求項１記載の画像形成装置。
【請求項５】
前記定着手段の搬送方向下流に、排出された原稿又はトナー像が転写されたシートを載置する載置手段を備えた、
請求項１ないし４のいずれか１項記載の画像形成装置。
【請求項６】
前記搬送路に、前記搬送方向において、前記転写手段よりも上流に配置される第１搬送ローラ対と、前記定着手段よりも下流に配置される第２搬送ローラ対と、を設け、
前記可動回転体によって形成される前記転写ニップ又は前記定着ニップは、前記第１搬送ローラ対のニップと前記第２搬送ローラ対のニップを結んだ直線に対して一方側に配置され、前記可動回転体が前記転写ニップ又は前記定着ニップから離間した状態において、該可動回転体は前記直線に対して前記転写ニップ又は前記定着ニップと反対側に位置する、
請求項１ないし５のいずれか１項記載の画像形成装置。
【請求項７】
前記可動回転体が前記転写ニップ又は前記定着ニップから離れた位置に移動するのに連動して、前記可動回転体と同方向に移動するガイド部材を備え、
前記ガイド部材は、前記可動回転体が前記転写ニップ又は前記定着ニップから離間した状態において、原稿を前記可動回転体又は前記転写ニップ又は前記定着ニップから離間するように案内する、
請求項１ないし５のいずれか１項記載の画像形成装置。
【請求項８】
前記可動回転体が前記転写ニップ又は前記定着ニップから離れた位置に移動するのに連動して、互いに当接し、前記可動回転体が前記転写ニップ又は前記定着ニップを形成するのに連動して、互いに離間するアシスト搬送ローラ対を備え、
前記アシスト搬送ローラ対は、前記可動回転体が前記転写ニップ又は前記定着ニップから離間した状態において、原稿を前記可動回転体、前記転写ニップ又は前記定着ニップから離間して搬送する、
請求項１ないし５のいずれか１項記載の画像形成装置。
【請求項９】
前記制御手段は、前記搬送路に原稿が搬送されると判定した場合に、前記画像形成手段、前記転写手段及び前記定着手段の動作を停止させる、
請求項１ないし８のいずれか１項記載の画像形成装置。
【請求項１０】
前記定着回転体対は、加熱回転体及び加圧回転体で構成され、
前記加圧回転体は、前記可動回転体であり、
前記制御手段は、前記搬送路に原稿が搬送されると判定した場合に、前記加熱回転体の表面温度を前記トナー像が転写されるシートが搬送されている場合と同じ状態になるように制御する、
請求項２または４記載の画像形成装置。
【請求項１１】
前記積載手段から前記搬送路に原稿を搬送する原稿搬送モードと、前記積載手段から前記搬送路にトナー像が転写されるシートを搬送するシート搬送モードと、に切換え可能な切換え手段を備え、
前記制御手段は、前記シート搬送モードにおいて前記読み取り手段が画像を検知した場合に、前記画像形成手段、前記転写手段及び前記定着手段の動作を停止させる、
請求項１ないし１０のいずれか１項記載の画像形成装置。
【請求項１２】
前記切換え手段は、前記積載手段の近傍に配置される、
請求項１１記載の画像形成装置。
【発明の詳細な説明】
【技術分野】
【０００１】
本発明は、画像形成装置に関し、特に原稿とトナー像が転写されるシートを同一の積載手段に積載する画像形成装置に関する。
【背景技術】
【０００２】
一般に、装置本体上部に原稿を読み取るフラットベット型リーダーが配置され、給紙カセットから記録紙を搬送し、該記録紙にフラットベット型リーダーで読み取った原稿の画像を印刷するコピー機能を有する複合機等の画像形成装置が知られている。
【０００３】
しかし、このような画像形成装置は、フラットベット型リーダーを設けた分、装置が大型化してしまう。そこで、装置を小型化するためにフラットベット型リーダーを設けず、給紙カセットの搬送方向下流に原稿の画像を読み取る読み取りセンサを配置すると共に、給紙カセットに原稿又は記録紙を収納して、これらの搬送路を共用する画像形成装置がある。
【０００４】
従来、搬送される原稿と記録紙とが、転写装置及び定着装置の搬送方向上流にて分岐されると共に、原稿読み込みの際には、定着装置の回転駆動を停止し、かつ該定着装置の予熱を行わない画像形成装置が提案されている（特許文献１参照）。また、原稿読み込みの際に、転写手段をオフすると共に、定着ローラの設定温度をプリント時よりも低めに設定したり、該定着ローラに圧接する加圧ローラの加圧力を小さめに設定するものが提案されている（特許文献２参照）。
【先行技術文献】
【特許文献】
【０００５】
【特許文献１】特開平０５−１９９３５７号公報
【特許文献２】特開平０５−２１９２９９号公報
【発明の概要】
【発明が解決しようとする課題】
【０００６】
しかしながら、上記特許文献１記載の画像形成装置は、定着装置の予熱を行わないために、プリントをする際の立ち上がりに時間がかかるという問題がある。また、原稿と記録紙の排出トレイが個別に設けられているために、コストアップし、かつ装置が大型化するという問題がある。
【０００７】
上記特許文献２記載の画像形成装置は、加圧ローラの加圧力を小さめに設定したとしても、原稿搬送のために定着ローラと加圧ローラとは圧接している。そのため、画像定着の不必要な原稿を搬送するために定着ローラが損耗し、定着ローラのメンテナンス頻度が高くなるため、装置のランニングコストが上昇するという問題がある。また、転写手段でのトナー汚れや定着ローラの熱によって、原稿にダメージや異常画像が生じてしまう虞がある。
【０００８】
そこで、本発明は、転写ローラ又は定着ローラの少なくともいずれか一方を移動可能な可動ローラで構成し、原稿読み込みの際には該可動ローラがニップを形成しないようにして、もって上述した課題を解決することを目的とする。
【課題を解決するための手段】
【０００９】
本発明は、原稿又はトナー像が転写されるシートを積載する積載手段と、前記積載手段の搬送方向下流に配置され、原稿の画像を読み取る読み取り手段と、像担持体にトナー像を形成する画像形成手段と、転写回転体を有し、転写ニップによって前記像担持体のトナー像をシートに転写する転写手段と、定着回転体対で形成される定着ニップによって前記トナー像をシートに加熱定着する定着手段と、搬送される原稿又はトナー像が転写されるシートが、前記読み取り手段、前記転写手段及び前記定着手段を通過するように形成された搬送路と、前記転写回転体及び前記定着回転体対の一方の、少なくともいずれか一方は移動可能な可動回転体であり、前記可動回転体を前記転写ニップ又は前記定着ニップと、前記転写ニップ又は前記定着ニップから離れた位置と、に移動させる可動回転体移動手段と、前記搬送路に原稿が搬送されると判定した場合に、前記可動回転体を前記転写ニップ又は前記定着ニップから離間するように前記可動回転体移動手段を制御する制御手段と、を備えたことを特徴とする。
【発明の効果】
【００１０】
本発明は、制御手段が搬送路に原稿が搬送されると判定した場合には、転写回転体又は定着回転体から構成される可動回転体が転写ニップ又は定着ニップから離間するので、転写回転体又は定着回転体の損耗を抑えて長寿命化できる。また、原稿が可動回転体から離間されて搬送されるので、転写手段でのトナー汚れや定着回転体の熱によって、原稿にダメージや異常画像が生じることを防止することができる。
【図面の簡単な説明】
【００１１】
【図１】本発明を適用した画像形成装置を示す全体断面図。
【図２】画像を読み取る読み取り手段を示す断面図。
【図３】画像形成装置を示す正面図。
【図４】原稿搬送モードとシート搬送モードとを切換える切換えスイッチを示す正面図。
【図５】給紙カセットを示す上方斜視図。
【図６】転写ローラを移動する構成を示す図であって、（ａ）は転写ローラが二次転写内ローラに当接している状態、（ｂ）は転写ローラが二次転写内ローラから離間している状態。
【図７】転写ローラ及び加圧ローラの移動を示す図。
【図８】本発明を適用した制御ブロック図。
【図９】制御手段の制御を示すフローチャート図。
【図１０】操作部に表示される警告メッセージを示す図。
【図１１】第２の実施の形態に係るガイド部材の移動を示す図。
【図１２】第３の実施の形態に係るアシスト搬送ローラ対の移動を示す図。
【発明を実施するための形態】
【００１２】
＜第１の実施の形態＞
以下、図面に沿って、本発明の第１の実施の形態について説明する。画像形成装置としてのカラー複合機１は、プリント、スキャン及びコピー等の機能を有しており、図１に示すように、装置の下部に複数の給紙カセット１０ａ，１０ｂ，１０ｃを有している。該給紙カセット１０ａの上方には、像担持体としての中間転写ベルト４０にトナー像を形成する画像形成手段９０，９６，９７，９８が配置されている。
【００１３】
給紙カセット１０ａ，１０ｂ，１０ｃは、同様の構成であるため、最上段の給紙カセット１０ａについてのみ説明する。該給紙カセット１０ａには、トナー像が転写される記録材としてのシート（以下、シートとする）Ｓが積載板１１（積載手段）の上に積載される形で収納されている。該積載板１１の最上に積載されるシートＳは、給紙ローラ１２によって１枚ずつピックアップされて、画像形成手段９０，９６，９７，９８の画像形成タイミングに合わせて給紙される。複数枚のシートＳを同時にピックアップしてしまった場合には、分離搬送ローラ対１４がシートを１枚ずつ分離して搬送する。
【００１４】
画像形成手段９０は、帯電手段９９、感光体９１、露光装置９３、現像器９２、一次転写装置４５及び感光体クリーナ９５等から構成される。予め帯電手段９９により表面を一様に帯電され、反時計方向に回転する感光体９１に対し、送られてきた画像情報の信号に基づいて露光装置９３が発光し、静電潜像が形成される。このようにして感光体９１上に形成された静電潜像に対して、現像器９２によるトナー現像が行われ、感光体９１上にトナー像が形成される。その後、感光体９１上のトナー像は、一次転写装置４５により所定の加圧力及び静電的負荷バイアスが与えられ、中間転写ベルト４０上に転写される。感光体９１上に残ったトナーは、感光体クリーナ９５により回収され、感光体９１は、次の画像形成に備える。
【００１５】
上述した画像形成手段９０は、イエロー（Ｙ）１色に対応するものであり、他に、マゼンタ（Ｍ）、シアン（Ｃ）、ブラック（Ｂｋ）の３色にそれぞれ対応する画像形成手段９６，９７，９８がある。なお、画像形成手段は、４色に限定されるものではなく、また色の並び順もこの限りではない。
【００１６】
中間転写ベルト４０は、駆動ローラ４２及び二次転写内ローラ４３等のローラ類によって張架され、図中矢印Ｂの方向へと搬送駆動される。上記画像形成手段９０，９６，９７，９８で画像形成された４色のトナー像は、中間転写ベルト４０上に重ね合わされて、フルカラーのトナー像が該中間転写ベルト４０上に形成される。中間転写ベルト４０上に形成されたフルカラーのトナー像は、二次転写内ローラ４３及び転写ローラ４４（転写回転体）によって形成される転写ニップ４６において所定の加圧力と静電的負荷バイアスが与えられて、搬送されてきたシートＳに転写される。
【００１７】
上記給紙カセット１０ａ，１０ｂ，１０ｃから搬送されたシートＳは、共通搬送路２０（搬送路）を通って、一対のレジストレーションローラ３０（第１搬送ローラ対）へと搬送される。シートＳは、該レジストレーションローラ３０においてシートＳの斜行補正やタイミング補正を行った後、転写ニップ４６にて中間転写ベルト４０上に形成されたトナー像が転写される。その後、シートＳは、定着手段５０の定着ニップ５６によってトナー像が加熱定着されて、排紙ローラ５１により装置上部の排紙トレイ５２（載置手段）に排出される。上記定着手段５０は、加圧ローラ５３（加熱回転体）及び加熱ローラ５４（加圧回転体）からなる定着ローラ対（定着回転体対）を有し、これら加圧ローラ５３と加熱ローラ５４によって上記定着ニップ５６を形成する。
【００１８】
シートＳの両面に画像形成する場合には、反転搬送部７０をシートＳの後端が通過すると、排紙ローラ５１が逆転動作する。シートＳは、該排紙ローラ５１の逆転動作によって、スイッチバック動作を行うことで先後端が入れ替えられて、両面搬送装置８０に搬送される。その後、既に１面目に画像が定着されたシートＳは、再給紙パス８５から共通搬送路２０に合流し、転写手段４１、定着手段５０にて２面目に画像が形成されて、排紙トレイ５２に排出される。
【００１９】
本実施の形態では、図１及び図２に示すように、最下段の給紙カセット１０ｃに画像読取ユニット２１０Ｕ，２１０Ｄを設けており、該給紙カセット１０ｃに原稿又はシートＳを収納する。上記画像読取ユニット２１０Ｕは、コンタクトガラス２１３を介して原稿の画像を読み取り可能なコンタクトイメージセンサ（以下、ＣＩＳとする）２３０Ｕ（読み取り手段）と、コンタクトガラス２１３に対向する搬送ローラ２１１Ｕと、を有している。更に、該画像読取ユニット２１０Ｕは、コンタクトガラス２１３を透過して原稿又はシートＳを照らすキセノンランプ２１２を有しており、該キセノンランプ２１２に照らされた原稿又はシートＳの反射光のレベルをＣＩＳ２３０Ｕが検知する。
【００２０】
搬送方向と直交する方向（以下、幅方向という）におけるＣＩＳ２３０Ｕの長さは、幅方向における原稿又はシートＳの長さよりも長く設定され、原稿又はシートＳを一度の搬送で画像検知する。また、該ＣＩＳ２３０Ｕは、カラー画像の検知に対応しており、ＲＧＢに分解した各色の濃度（輝度）レベルをＡ／Ｄ変換部２４０（図８参照）においてデジタル変換して、ＣＰＵ５５１（図８参照）へ各色の濃度データを受け渡す。搬送ローラ２１１Ｕは、ゴムなどの可撓性部材で形成されており、不図示の駆動源により駆動されて、原稿又はシートＳをコンタクトガラス２１３に加圧しながら搬送する。これにより、原稿又はシートＳは、コンタクトガラス２１３に密着し、ＣＩＳ２３０Ｕによって高精度に画像検知することができる。
【００２１】
上記画像読取ユニット２１０Ｕは、原稿又はシートＳの表面の画像検知を行い、裏面については、画像読取ユニット２１０Ｕと同一構成で上下反転して配置された画像読取ユニット２１０Ｄが行う。該画像読取ユニット２１０Ｄは、ＣＩＳ２３０Ｄ（読み取り手段）と、コンタクトガラス２１３に対向する搬送ローラ２１１Ｄと、キセノンランプ２１２と、を有しているが、画像読取ユニット２１０Ｕと同様な構成なので説明を省略する。これら画像読取ユニット２１０Ｕ，２１０Ｄによって、１パスで両面画像の検知を行うことができる。なお、本実施例では、ＣＩＳを検知センサとして使用しているが、ＣＣＤなどほかの方式の画像検知手段を使用してもよい。
【００２２】
給紙カセット１０ｃから給送された原稿は、画像読取ユニット２１０Ｕ，２１０Ｄを通り、シートＳの場合と同様に、共通搬送路２０上を搬送される。そして、転写手段４１及び定着手段５０を通り、排紙トレイ５２に排出される。共通搬送路２０及び排紙トレイ５２は、原稿とシートＳに共用されるため、装置をコンパクトに構成できる。また、排紙ローラ５１をスラスト方向に移動させて、原稿とシートＳとをずらして排紙トレイ５２に排出して、原稿とシートＳとの混同を防止するようにしてもよい。なお、共通搬送路２０は、複数の搬送ローラ対によって該共通搬送路２０上を搬送される原稿又はシートＳが、少なくともＣＩＳ２３０Ｕ，２３０Ｄ（読み取り手段）、転写手段４１及び定着手段５０を通過するように形成されている。
【００２３】
カラー複合機１の上部には、図３に示すように、各種設定操作を行う操作部２５０が設けられており、最下段の給紙カセット１０ｃの前面には、回動可能な切換えスイッチ１６（切換え手段）が設けられている。該切換えスイッチ１６は、図４に示すように、ガイド１６ａを「白紙」又は「原稿」に合わせることで、原稿搬送モードとシート搬送モードとを切換え可能になっている。原稿搬送モードは、ユーザが給紙カセット１０ｃに原稿を収納したということで、共通搬送路２０に原稿を搬送するモードである。シート搬送モードは、ユーザが給紙カセット１０ｃに例えば白紙のシートＳを収納したということで、共通搬送路２０にシートＳを搬送するモードである。切換えスイッチ１６は、給紙カセット１０ｃの前面に設けられているので、ユーザが原稿搬送モード又はシート搬送モードの切換え設定を忘れにくくなっている。なお、該切換えスイッチ１６は、給紙カセット１０ｃの前面に限らず、切換えスイッチ１６の設定忘れを防止するために、給紙カセット１０ｃの近傍に配置されればどこに配置されてもよい。例えば、切換えスイッチ１６は、給紙カセット１０ｂの前面や、給紙カセット１０ｃの左右の側面に配置してもよい。
【００２４】
また、給紙カセット１０ｃは、図５に示すように、シートの幅方向に移動可能に設けられたサイド規制板１８ａ，１８ｂと、シートの給送方向に移動可能に設けられた後端規制板１９を有している。ユーザは、積載板１１に積載した原稿又はシートＳのサイズに合わせて、サイド規制板１８ａ，１８ｂ及び後端規制板１９を移動することができる。これらサイド規制板１８ａ，１８ｂ及び後端規制板１９の位置は、サイズ検知部１１１（図８参照）によって検知されて、原稿又はシートＳのサイズ情報はＣＰＵ５５１（図８参照）に認識される。他の給紙カセット１０ａ，１０ｂに収納されたシートＳのサイズ情報も、同様にしてＣＰＵ５５１に認識される。
【００２５】
次に、転写手段４１の転写ローラ４４及び定着手段５０の加圧ローラ５３を移動させる構成について説明する。転写ローラ４４及び加圧ローラ５３は、移動可能な可動ローラとなっており、その移動手段は同様な構成からなるため、転写ローラ４４の移動構成のみを説明する。なお、本実施の形態では、転写ローラ４４及び加圧ローラ５３の両方を可動ローラとして構成しているが、転写ローラ４４のみ又は加圧ローラ５３のみを可動ローラとしてもよい。また、加圧ローラ５３に代えて、加熱ローラ５４を可動ローラとしてもよい。
【００２６】
転写ローラ４４は、図６に示すように、回転軸４４ａに固定されており、該回転軸４４ａは、軸受４７に回転自在に支持されている。転写ローラ４４は、軸受４７を付勢するバネ４８によって二次転写内ローラ４３を加圧して、転写ニップ４６を形成する。回転軸４４ａは、支点４９ａを中心にして回動するリンク４９に当接しており、該リンク４９は、二次転写脱着モータ３０２の駆動で回転するカム３１０によって、バネ４８の付勢力に抗して回動する。二次転写脱着モータ３０２及びカム３１０は、可動回転体移動手段を構成する。転写ローラ４４は、該リンク４９の回動に応じて、二次転写内ローラ４３に接触又は離間可能に設けられている。定着手段５０の加圧ローラ５３は、可動回転体移動手段を構成する定着脱着モータ３０３（図８参照）及び該定着脱着モータ３０３によって駆動するカムによって、加熱ローラ５４に接触又は離間可能に設けられている。すなわち、二次転写脱着モータ３０２及びカム３１０は、転写ローラ４４を転写ニップ４６と該転写ニップ４６から離れた位置とに移動する。定着脱着モータ３０３及び該定着脱着モータ３０３によって駆動するカムは、加圧ローラ５３を定着ニップ５６と該定着ニップ５６から離れた位置とに移動する。なお、転写ローラ４４及び加圧ローラ５３は、個別のカム及びモータによって移動しなくてもよく、１つのカム及びモータによって、移動するように構成してもよい。
【００２７】
上記転写ローラ４４及び加圧ローラ５３は、図７に示すように、共通搬送路２０にシートＳが搬送される場合には、それぞれ転写ニップ４６及び定着ニップ５６を形成して、シートＳにトナー像を転写して加熱定着する。転写手段４１の搬送方向上流には、レジストレーションローラ３０が配置され、定着手段５０の搬送方向下流には、定着後搬送ローラ５５（第２搬送ローラ対）が配置されている。上記転写ニップ４６及び定着ニップ５６は、上記レジストレーションローラ３０のニップと定着後搬送ローラ５５のニップを結んだ連結線Ｌ１（直線）に対して、一方側（右側）に配置されている。共通搬送路２０に原稿が搬送される場合には、転写ローラ４４及び加圧ローラ５３は、それぞれ転写ニップ４６及び定着ニップ５６から離間して、上記線Ｌ１に対して上記転写ニップ４６及び定着ニップ５６と反対側（左側）に位置するように構成される。連結線Ｌ１は、カラー複合機１が搬送可能な原稿又はシートＳの搬送方向の長さよりも短く設定されており、転写ローラ４４及び加圧ローラ５３がそれぞれ転写ニップ４６及び定着ニップ５６から離間しても、原稿又はシートＳが搬送可能となっている。
【００２８】
これにより、原稿搬送時には原稿が転写ローラ４４及び加圧ローラ５３から離間した状態で搬送されて、原稿搬送時の転写ローラ４４及び加圧ローラ５３の損耗を抑えて、これら転写ローラ４４及び加圧ローラ５３を長寿命化することができる。また、転写手段でのトナー汚れや加熱ローラの熱によって、原稿にダメージや異常画像が生じることを防止することができる。なお、加熱ローラ５４は、加圧ローラ５３が離間した状態においても、シートＳが共通搬送路２０に搬送される場合と同様に、温調状態を維持する。すなわち、加熱ローラ５４の表面温度を所定温度以上に維持する。これにより、原稿搬送モードからシート搬送モードに移行しても、直ちにプリント動作を行うことができる。
【００２９】
図８は、本実施の形態の制御ブロック図であり、カラー複合機１は、ＣＰＵ５５１（制御手段）を有している。ＣＰＵ５５１には、メモリ５１１，ＲＡＭ５６１，ＲＯＭ５７１及び入出力装置５８１等が接続されている。メモリ５１１には、給紙カセット１０ａ，１０ｂ，１０ｃ内のシートの情報（例えば、サイズ、坪量、厚さなど）等が格納されている。また、ＲＯＭ５７１には、各部の制御プログラムが格納されており、ＲＡＭ５６１は、ＣＰＵ５５１の作業領域として使用されている。入出力装置５８１は、ネットワーク５０２を介して、ＣＰＵ５５１と外部のパソコン５０１等を通信可能としており、画像データの転送や動作命令を外部のパソコン５０１から行うことができるようになっている。
【００３０】
また、ＣＰＵ５５１の入力側には、上記切換えスイッチ１６、上記サイズ検知部１１１、二次転写脱着モータ３０２、定着脱着モータ３０３、上記Ａ／Ｄ変換部２４０等が接続されている。ＣＰＵ５５１の出力側には、操作部２５０、搬送モータ３０７、ドラム駆動モータ３０４、ＩＴＢ駆動モータ３０５、定着駆動モータ３０６等が接続されている。搬送モータ３０７、ドラム駆動モータ３０４、ＩＴＢ駆動モータ３０５及び定着駆動モータ３０６は、それぞれ各部搬送ローラ、感光体９１、駆動ローラ４２及び加熱ローラ５４を回転駆動する。
【００３１】
次に、原稿搬送モード及びシート搬送モードにおける各部の制御について、図９に示すフローチャートに沿って説明する。まず、スタンバイ状態としては、転写ローラ４４及び加圧ローラ５３を、それぞれ転写ニップ４６及び定着ニップ５６から離間（解除）しておく（ステップＳ１０１、ステップＳ１０２）。これは、転写ローラ４４及び加圧ローラ５３は、ゴム層やＰＦＡチューブを有しているために、これらになるべく圧がかかる時間を減らすことで、長寿命化を図るためである。
【００３２】
次に、ＣＰＵ５５１は、切換えスイッチ１６が原稿搬送モードに設定されているか、シート搬送モードに設定されているかを判別する（ステップＳ１０３）。ＣＰＵ５５１は、切換えスイッチ１６のガイド１６ａの位置によって、共通搬送路２０に原稿が搬送される原稿搬送モードと、例えば白紙のシートＳが搬送されるシート搬送モードと、のいずれかを判定する。ステップＳ１０３にて原稿搬送モードに設定されている場合、ＩＴＢ駆動モータ３０５、ドラム駆動モータ３０４及び定着駆動モータ３０６を停止する（ステップＳ１０４，Ｓ１０５，Ｓ１０６）。これらが初めから停止している場合には、停止状態を維持する。これにより、駆動ローラ４２、感光体９１及び加熱ローラ５４の回転を停止して、省エネ化できると共に、部品を長寿命化できる。
【００３３】
この状態で、スキャンあるいはコピー動作の指定により、給紙カセット１０ｃから原稿が給送される。給送された原稿は、画像読取ユニット２１０Ｕ，２１０Ｄにて画像が読み取られて、読み取られた画像情報をメモリ５１１に格納した後に排紙トレイ５２に排出される。仮に、原稿読み込み中に画像の無いページがあっても、装置を止めることなく原稿読み取りを進める。ユーザの設定ミスでトナー像が転写されるはずのシートＳを読み取ってしまった場合でも、該シートＳは再使用可能である。
【００３４】
コピー動作の指定がされている場合には、全ての原稿を読み取って排紙トレイ５２に原稿を排出した後に、他の給紙カセット１０ａ，１０ｂからシートＳを給送して、該シートＳに読み取った画像に基づいた画像形成を行う。シートＳに画像形成を行う場合には、転写ローラ４４及び加圧ローラ５３は、それぞれ転写ニップ４６及び定着ニップ５６を形成することはもちろんである。
【００３５】
ステップＳ１０３にて、切換えスイッチ１６がシート搬送モードに設定されている場合には、ステップＳ１０８に進み、該ステップＳ１０８では、ＣＩＳ２３０Ｕ，２３０Ｄの画像読み取り結果をチェックする。ＣＩＳ２３０Ｕ，２３０Ｄによる読み取り結果として画像が検知できず、白紙と判断した場合には、二次転写脱着モータ３０２が駆動して、転写ローラ４４が二次転写内ローラ４３に当接し転写ニップ４６を形成する（ステップＳ１１０）。また、ＩＴＢ駆動モータ３０５及びドラム駆動モータ３０４の駆動が開始され、それぞれ中間転写ベルト４０及び感光体９１が駆動される（ステップＳ１１１，Ｓ１１２）。更に、定着脱着モータ３０３が駆動することで、加圧ローラ５３が加熱ローラ５４を加圧して定着ニップ５６を形成する（ステップＳ１１３）。その後、定着駆動モータ３０６が駆動して加熱ローラ５４が回転し（ステップＳ１１４）、この状態で共通搬送路２０にシートＳが搬送され、該シートＳに画像転写及び画像定着が行われて、シートＳが排紙トレイ５２に排出される。
【００３６】
ステップＳ１０８にてＣＩＳ２１０Ｕ，２１０Ｄが画像を検知した場合には、ＣＰＵ５５１は、搬送モータ３０７、ドラム駆動モータ３０４、ＩＴＢ駆動モータ３０５、定着駆動モータ３０６等の装置全体の動作を停止させる（ステップＳ１１５）。その際には、画像形成手段９０，９６，９７，９８、転写手段４１及び定着手段５０の動作も停止するように制御される。そして、例えば図１０に示すように、タッチパネルからなる操作部２５０に警告メッセージが表示される（ステップＳ１１６）。「はい」を選択すると、プリント動作続行と判断され、ステップＳ１１０に進む（ステップＳ１１７：ＯＫ）。「いいえ」を選択すると、ドラム駆動モータ３０４、ＩＴＢ駆動モータ３０５、定着駆動モータ３０６等は停止したまま、共通搬送路２０にシートＳが搬送される。該シートＳに画像転写及び画像定着が行われることなく、シートＳは排紙トレイ５２に排出される（ステップＳ１１７：ＮＧ）。
【００３７】
＜第２の実施の形態＞
次に、本発明の第２の実施の形態について説明するが、第１の実施の形態と同様の構成については、図示を省略、又は図に同一符号を付して説明を省略する。定着手段５０の搬送方向上流及び下流には、図１１に示すように、転写ローラ４４及び加圧ローラ５３と同方向に移動可能なガイド部材３２１，３２２が配置されている。これらガイド部材３２１，３２２は、図１１に実線で示す位置と点線で示す位置との間を移動可能である。
【００３８】
転写ニップ４６及び定着ニップ５６は、レジストレーションローラ３０と定着後搬送ローラ５５を結んだ連結線Ｌ１上に配置されている。上記ガイド部材３２１，３２２は、共通搬送路２０にシートＳが搬送される場合には、搬送されてくるシートＳに干渉しないように連結線Ｌ１の一方側（右側）に配置される。
【００３９】
共通搬送路２０に原稿が搬送される場合には、上記ガイド部材３２１，３２２は、転写ローラ４４及び加圧ローラ５３がそれぞれ転写ニップ４６及び定着ニップ５６から離れた位置に移動するのに連動して、上記連結線Ｌ１の他方側（左側）に移動する。その際、ガイド部材３２１，３２２は、原稿が二次転写内ローラ４３と転写ローラ４４の間、かつ加熱ローラ５４と加圧ローラ５３の間を通って搬送されるように、原稿を案内する。
【００４０】
これによって、原稿は、転写ローラ４４、加圧ローラ５３、転写ニップ４６及び定着ニップ５６から離間する原稿搬送パスＬ２を通るので、原稿に汚れや熱によるダメージを与えることを防止できる。
【００４１】
＜第３の実施の形態＞
次に、本発明の第３の実施の形態について説明するが、第１及び第２の実施の形態と同様の構成については、図示を省略、又は図に同一符号を付して説明を省略する。転写手段４１と定着手段５０の間には、図１２に示すように、転写ローラ４４及び加圧ローラ５３と同方向に移動可能な移動ローラ３３１と固定ローラ３３２とから構成されるアシスト搬送ローラ対３３０が配置されている。
【００４２】
上記移動ローラ３３１は、共通搬送路２０をシートＳが搬送される場合には、連結線Ｌ１の一方側（右側）に配置されており、連結線Ｌ１の他方側（左側）に配置された固定ローラ３３２に離間している。そして、搬送されてきたシートＳは、連結線Ｌ１上、すなわち転写ニップ４６、移動ローラ３３１と固定ローラ３３２の間、定着ニップ５６を通るようになっている。
【００４３】
共通搬送路２０に原稿が搬送される場合には、上記移動ローラ３３１は、転写ローラ４４及び加圧ローラ５３がそれぞれ転写ニップ４６及び定着ニップ５６から離れた位置に移動するのに連動して、上記連結線Ｌ１の他方側（左側）に移動する。その際、移動ローラ３３１と固定ローラ３３２は、互いに当接してニップを形成する。共通搬送路２０に搬送されてきた原稿は、レジストレーションローラ３０、アシスト搬送ローラ対３３０及び定着後搬送ローラ５５によって搬送されて、原稿搬送パスＬ３を通る。
【００４４】
これによって、原稿は、転写ローラ４４、加圧ローラ５３、転写ニップ４６及び定着ニップ５６から離間した状態で搬送されるので、原稿に汚れや熱によるダメージを与えることを防止できる。また、レジストレーションローラ３０とアシスト搬送ローラ対３３０のニップ間の距離及びアシスト搬送ローラ対３３０と定着後搬送ローラ５５のニップ間の距離は、カラー複合機１が搬送可能な原稿の搬送方向長さよりも短く設定されている。レジストレーションローラ３０と定着後搬送ローラ５５の間にアシスト搬送ローラ対３３０を配置したことで、小さ目のサイズの原稿についても搬送することができ、様々な原稿サイズに対応することができる。なお、アシスト搬送ローラ対を複数配置して、更に多様な原稿サイズに対応する構成としてもよい。
【００４５】
なお、以上の第１ないし第３の実施の形態は、組み合わせて使用することも可能である。また、定着手段（具体的には、加熱ローラ及び加圧ローラ）としてローラを用いて説明したが、ベルト体を用いてもよい。また、加熱ローラの加熱源は、ＩＨ（誘導加熱）や面状発熱体を用いてもよく、転写手段もローラに限らず、ベルト体を使用してもよい。
【符号の説明】
【００４６】
１：カラー複合機（画像形成装置）、１１：積載板（積載手段）、２０：搬送路（共通搬送路）、４０：中間転写ベルト（像担持体）、４１：転写手段、４４：転写ローラ（転写回転体、可動回転体）、４６：転写ニップ、５０：定着手段、５３：加圧ローラ（定着回転体対、可動回転体）、５４：加熱ローラ（定着回転体対、可動回転体）、５６：定着ニップ、９０，９６，９７，９８：画像形成手段、２３０Ｕ，２３０Ｄ：コンタクトイメージセンサ（ＣＩＳ、読み取り手段）、３０２：二次転写脱着モータ（可動回転体移動手段）、３０３：定着脱着モータ（可動回転体移動手段）、３１０：カム（可動回転体移動手段）、５５１：ＣＰＵ（制御手段）、Ｓ：シート
【図１】
2015212718.tif 000003
【図２】
2015212718.tif 000004
【図３】
2015212718.tif 000005
【図４】
2015212718.tif 000006
【図５】
2015212718.tif 000007
【図６】
2015212718.tif 000008
【図７】
2015212718.tif 000009
【図８】
2015212718.tif 000010
【図９】
2015212718.tif 000011
【図１０】
2015212718.tif 000012
【図１１】
2015212718.tif 000013
【図１２】
2015212718.tif 000014